(57)【要約】【課題】食料品の重さを計量することによって、食料品が冷蔵庫内に存在するか否かの在庫管理を行うものがあるが、食料品が消費されずにそのままになっていないか、その消費の程度が予定よりも少なくないか等の制御は行っていない。本発明は、特に飲料の減り具合を測定することによって、飲料の消費の状況を把握して、古くなった飲料が飲まれないように警告を発することができる冷蔵庫を提供するものである。【解決手段】冷蔵庫内に収納される食料品の荷重によって歪む磁歪素子の透磁率変化をコイルのインピーダンス変化に変換して前記食料品の荷重を検出する検出部を設け、この検出部の検出に基づき前記食料品の荷重減少を検出し又は前記飲料物の取り出し回数を検出して、前記食料品の使用頻度を識別する装置を備えたことを特徴とする。【選択図】      図２
2005003323.tif 000002
【特許請求の範囲】
【請求項１】
冷蔵庫内に収納される食料品の荷重によって歪む磁歪素子の透磁率変化をコイルのインピーダンス変化に変換して前記食料品の荷重を検出する検出部を設け、この検出部の検出に基づき前記食料品の荷重減少を検出し又は前記飲料物の取り出し回数を検出し、前記食料品の使用頻度を識別する装置を備えたことを特徴とする冷蔵庫。
【請求項２】
冷蔵庫内に収納される飲料物の荷重によって歪む磁歪素子の透磁率変化をコイルのインピーダンス変化に変換して検出する検出部を設け、この検出部の検出に基づき前記飲料物の荷重を検出し、前記飲料物の荷重が所定時間経過後に所定値以下に減少しない場合に報知する装置を備えたことを特徴とする冷蔵庫。
【請求項３】
冷蔵庫内に収納される飲料物の荷重によって歪む磁歪素子の透磁率変化をコイルのインピーダンス変化に変換して前記飲料物の荷重を検出する検出部を設け、この検出部により前記飲料物の取り出し回数を検出し、所定時間内での前記取り出し回数が所定回数に達しない場合に報知する装置を備えたことを特徴とする冷蔵庫。
【請求項４】
冷蔵庫内に収納される飲料物の賞味期限をインプットする制御部を備え、前記飲料物の荷重によって歪む磁歪素子の透磁率変化をコイルのインピーダンス変化に変換して前記飲料物の荷重を検出する検出部を設け、前記賞味期限内の所定時間中において前記飲料物の荷重が所定値以下に減少しない場合、前記賞味期限内の所定時間中において前記取り出し回数が所定回数に達しない場合及び前記賞味期限切れのいずれにても報知する装置を備えたことを特徴とする冷蔵庫。
【請求項５】
前記冷蔵庫は、前面開口の冷蔵庫本体の一側を軸として前記冷蔵庫本体に開閉可能に支持した扉の内側面にドアポケットを備え、前記検出部を前記ドアポケットに収納される食料品又は飲料物の荷重を検出する位置に設けたことを特徴とする請求項１乃至４のいずれかに記載の冷蔵庫。
【発明の詳細な説明】
【０００１】
【発明の属する技術分野】
本発明は、冷蔵庫内に収納される食料品、特に飲料の消費の状態を把握できる冷蔵庫に関する。
【０００２】
【従来の技術】
冷蔵庫内に収納する食料品の重量や賞味期限などを入力して、これらの情報を表示すると共に、これら食料品の在庫管理をするものがある（例えば、特許文献１参照）。この方法では、食料品の重量がゼロになったときに品切れ表示とデータの削除を行う。
【０００３】
特許文献１の方法では、食料品の重さを計量することによって、冷蔵庫内に存在するか否か、また食料品がどの程度減ったか、更に賞味期限内であるか否かは、表示を見ればその確認ができるため、冷蔵庫内の食料品の在庫管理が可能である。しかし、冷蔵庫内に収納された食料品が消費されずにそのままになっていないか、その消費の程度が予定よりも少なくないか等の制御は行っていない。
【０００４】
【特許文献１】
特開２００３−０８３６７０号公報（Ｐ３〜６、図１〜４、図９、図１５）
【０００５】
【発明が解決しようとする課題】
本発明は、特許文献１のような冷蔵庫に収納した食料品の品切れか否かの在庫管理ではなく、食料品、特に飲料の減り具合を測定することによって、飲料の消費の状況を把握して、古くなった飲料が飲まれないように警告を発することができる冷蔵庫を提供するものである。
【０００６】
【課題を解決するための手段】
本発明の冷蔵庫は、冷蔵庫内に収納される食料品の荷重によって歪む磁歪素子の透磁率変化をコイルのインピーダンス変化に変換して前記食料品の荷重を検出する検出部を設け、この検出部の検出に基づき前記食料品の荷重減少を検出し又は前記飲料物の取り出し回数を検出して、前記食料品の使用頻度を識別する装置を備えたことを特徴とする。このように、食料品、特に飲料物の消費の状況を把握して、飲料物の消費の状況が芳しくない場合はそれを知らせることができ、冷蔵庫の使用者にその飲料物の消費を喚起させることができる。そして、古くなった飲料が飲まれないように警告を発することもできる。
【０００７】
また本発明の冷蔵庫は、冷蔵庫内に収納される飲料物の荷重によって歪む磁歪素子の透磁率変化をコイルのインピーダンス変化に変換して検出する検出部を設け、この検出部の検出に基づき前記飲料物の荷重を検出し、前記飲料物の荷重が所定時間経過後に所定値以下に減少しない場合に報知する装置を備えたことを特徴とする。これによって、飲料物の荷重を磁歪素子により検出するため堅牢な荷重検出装置となり、冷蔵庫のように頻繁に使用される部分に適用する荷重検出装置として適する。そして、飲料物の減り具合によって飲料物の消費の状況を把握でき、飲料物の消費の状況が芳しくない場合は、冷蔵庫の使用者にそれを知らせてその飲料物の消費を喚起させることができる。そして、古くなった飲料が飲まれないように警告を発することもできる。
【０００８】
また本発明の冷蔵庫は、冷蔵庫内に収納される飲料物の荷重によって歪む磁歪素子の透磁率変化をコイルのインピーダンス変化に変換して前記飲料物の荷重を検出する検出部を設け、この検出部により前記飲料物の取り出し回数を検出し、所定時間内での前記取り出し回数が所定回数に達しない場合に報知する装置を備えたことを特徴とする。これによって、飲料物の荷重を磁歪素子により検出するため堅牢な荷重検出装置となり、冷蔵庫のように頻繁に使用される部分に適用する荷重検出装置として適する。そして、飲料物の取り出し回数が所定回数に達しない場合に報知することによって、飲料物の消費の状況が芳しくない場合は、冷蔵庫の使用者にそれを知らせてその飲料物の消費を喚起させることができる。そして、古くなった飲料が飲まれないように警告を発することもできる。
【０００９】
また本発明の冷蔵庫は、冷蔵庫内に収納される飲料物の賞味期限をインプットする制御部を備え、前記飲料物の荷重によって歪む磁歪素子の透磁率変化をコイルのインピーダンス変化に変換して前記飲料物の荷重を検出する検出部を設け、前記賞味期限内の所定時間中において前記飲料物の荷重が所定値以下に減少しない場合、前記賞味期限内の所定時間中において前記取り出し回数が所定回数に達しない場合及び前記賞味期限切れのいずれにても報知する装置を備えたことを特徴とする。
【００１０】
これによって、飲料物の荷重を磁歪素子により検出するため堅牢な荷重検出装置となり、冷蔵庫のように頻繁に使用される部分に適用する荷重検出装置として適する。そして、飲料物の賞味期限との関係において、飲料物の消費の状況を把握して、飲料物の消費の状況が芳しくない場合は、冷蔵庫の使用者にそれを知らせてその飲料物の消費を喚起させることができる。そして、古くなった飲料が飲まれないように警告を発することもできる。
【００１１】
また本発明の冷蔵庫は、前記冷蔵庫は、前面開口の冷蔵庫本体の一側を軸として前記冷蔵庫本体に開閉可能に支持した扉の内側面にドアポケットを備え、前記検出部を前記ドアポケットに収納される食料品又は飲料物の荷重を検出する位置に設けたことを特徴とする。これによって、上記の作用効果に加えて、従来の冷蔵庫と同様にドアポケットに食料品又は飲料物の収納することができる。
【００１２】
【発明の実施の形態】
次に、本発明の冷蔵庫について説明する。図１乃至図４は本発明の冷蔵庫の実施形態を示しており、図１は冷蔵庫の冷蔵室部分の開扉状態を示す斜視図、図２は図１の冷蔵室扉のドアポケット部の荷重検出部の縦側面図、図３は冷蔵室扉のドアポケット部の他の実施形態に係る荷重検出部の縦側面図、図４は制御装置の説明用ブロック図である。
【００１３】
これらの図において、１は冷却貯蔵庫の一つである冷蔵庫であり、全面開口の冷蔵庫本体２内を区画して複数の貯蔵室を形成し、これら各貯蔵室の前面は扉で開閉できる構成である。冷蔵庫本体２は、外箱（外壁板）と内箱（内壁板）との間に発泡断熱材を充填した断熱構造であり、冷蔵庫本体２内は、上から冷蔵室３、野菜室４、及びその下方に冷凍室が区画して設けられ、冷蔵室３内には棚１０を備え、最下段の棚１０は区画板（区画壁）８を構成して上方の冷蔵室３と区画された特定低温室９を冷蔵室３内下部に形成している。
【００１４】
冷蔵室３の前面開口は、冷蔵庫本体２の一側部にヒンジ装置６にて横方向に回動して開閉される回動式の冷蔵室扉５にて閉塞される。野菜室４の前面開口は、野菜容器と共に前方へ引き出される引き出し式扉にて閉塞されている。
【００１５】
冷蔵室３は、冷却器で冷却された冷気が送風機によって冷蔵室３の上部及び背面から供給されて約２〜３℃に冷却される。特定低温室９は、０℃よりも高い約１℃のチルド室であったり、０℃よりも低く食品の凍結温度よりも高い約０〜−１℃の氷温室であったり、また、食品の表面に薄い氷の層が形成される程度の約−４℃の部分凍結室であったりする。特定低温室９には、前方へ引き出し自在な容器７が設けられている。
【００１６】
冷蔵室扉５は外壁板５Ａと内壁板５Ｂとの間に発泡断熱材５Ｃを充填した断熱構造であり、冷蔵室扉５の内側面、即ち内壁板５Ｂには左右両端部側に縦方向の支持壁２０が形成され、この左右の支持壁２０間に複数段にドアポケット１１が設けられている。ドアポケット１１は冷蔵庫の種類によって大きさや配置はそれぞれ異なり、また上下に複数段にドアポケット１１Ａ、１１Ｂ、１１Ｃを配置した構成では、中段ドアポケット１１Ｂに背の高い食料品を収納する場合には、その上方のドアポケット１１Ａを取り外すこともできる。また最下段のドアポケット１１Ｃと１１Ｄは、ペットボトル入り飲料物や紙パック入り飲料物等のように、背が高く周りも大きな容器入り食料品３０を安定に収納できるように冷蔵庫本体２内に大きく張り出した形状である。このため、このドアポケット１１Ｃと１１Ｄに近い棚８はやや奥に引っ込んだ状態である。
【００１７】
図２に示すように、最下段のドアポケット１１Ｄには、容器入り食料品３０（以下、飲料物３０と称することとする）の重量を計量する検出部４０を備えている。検出部４０は、ドアポケット１１Ｄ内に取り付けられた基台４１に上下動可能に支持した載置板４２と、載置板４２の中央部から下方へ延びた本体部４３の外周に取り付けた環状の磁歪素子４４と、磁歪素子４４を取り囲んで基台４１内に配置した検出コイル４５とを備えている。
【００１８】
載置板４２に飲料物３０が載置されることによって、本体部４３が下方へ移動して磁歪素子４４が本体部４３と基台４１とで押し圧されて歪む。この歪によって磁歪素子４４の磁気特性が変化し、この磁気特性の変化を検出コイル４５のインピーダンス変化に変換するものである。具体的には、磁歪素子４４の歪によって磁歪素子４４の透磁率が変化するため、この透磁率変化を検出コイル４５のインピーダンス変化（インダクタンスと損失抵抗の変化）に変換して検出する。
【００１９】
この検出コイル４５のインピーダンス変化を電圧変化や電流変化のように電気信号変化として出力する検出回路５２を有する。図４には制御装置を示しており、制御部４６はマイクロコンピュータによる動作方式のＣＰＵと称される中央演算装置が主体であり、制御部４６には、電源部４７、入力部４８、情報記憶部４９、表示部５０、警報部５１、検出回路５２が接続されている。制御部４６は、検出部４０の検出に基づき飲料物３０の荷重減少によって飲料物３０の使用頻度を識別する識別機能を備える。入力部４８、表示部５０及び警報部５１は、冷蔵庫１の冷蔵室扉５の前面に配置することにより利用の便利さを図っている。制御部４６、電源部４７、情報記憶部４９及び検出回路５２は、冷蔵庫本体２の例えば背面部に形成した収納凹部に配置されている。このため、検出コイル４５から延びたライン４５Ａと検出回路５２から扉５内に延びたライン５２Ａとは、コネクタ６０によって接続されている。検出回路５２は、検出部４０に備えた構成とすることもできる。
【００２０】
載置板４２に飲料物３０が載置されることによって、本体部４３が下方へ移動して磁歪素子４４の磁気特性が変化して検出コイル４５のインピーダンスが変化し、この検出コイル４５のインピーダンス変化を電圧変化として制御部４６が処理する。このため、入力部４８によって初期設定された状態で、先ず載置板４２に飲料物３０が載置されることによって、そのときの飲料物３０の荷重が計量され、それに対応する電圧が発生してその飲料物３０の最初の情報が情報記憶部４９に記憶される。この情報は、飲料物３０の１回目の載置があったことを示す回数情報（これを「１回目情報」と称することとする）であり、また飲料物３０の１回目の載置があったときの荷重に基づき情報記憶部４９に記憶される情報が荷重情報（これを「第１荷重情報」と称することとする）である。
【００２１】
冷蔵庫の使用によって、ドアポケット１１Ｄから飲料物３０が取り出されて再び載置板４２に飲料物３０が載置されたとき、上記同様にして２回目情報と第２荷重情報が、制御部４６の処理によって情報記憶部４９に記憶される。
【００２２】
このようにして、上記同様にして３回目情報と第３荷重情報、４回目情報と第４荷重情報というように、順次その都度の情報が制御部４６の処理によって情報記憶部４９に記憶される。
【００２３】
本発明では、この飲料物３０の荷重減少の情報である荷重情報によって、飲料物３０の使用頻度を識別する装置を制御部４６に備える。制御部４６はタイマ機能を備えており、この使用頻度を識別する装置は、制御部４６のタイマ機能によって、所定時間内において飲料物３０の荷重減少が所定の減少値に達したか否か、又は所定時間内において飲料物３０の取り出し回数が所定の回数に達したか否かによって判断する。これは、制御部４６が情報記憶部４９に記憶された回数情報や荷重情報等を読み出して比較することにより行われる。
【００２４】
例えば、第１荷重情報を数字１００とし、この第１荷重情報を得たときから所定時間到達時（例えば、３日目）に例えば第１荷重情報の５０％に相当する数字５０に減っているか否かを制御部４６が判定し、もし減っていない場合には制御部４６は警報部５１が警報を発するように制御すると共に、表示部５０に注意の文字表示や、表示灯による注意の黄色表示又はその点滅表示によって、飲料物３０の消費が停滞している旨の警告表示を行う。このため、飲料物３０の消費の状況が芳しくないことを知らせることができ、冷蔵庫の使用者にその飲料物３０の消費を喚起させることができる。
【００２５】
そして、この第１荷重情報を得たときから更に長い所定時間到達時（例えば５日目）に第１荷重情報の５０％又はそれよりも低い例えば３０％に減っておればよいが、もしそれに到達していない場合には、制御部４６は警報部５１に警報を発するように制御すると共に表示部５０に飲料物３０が古くなったことを知らせる文字表示や、表示灯による注意の赤色表示又はその点滅表示によって、飲料物３０が古くなったことを知らせて、その飲料物が飲まれないように警告を発する。
【００２６】
上記の方式は、中間警告と最終警告の２段階表示であるが、これを中間警告又は最終警告のいずれか一つの警告とするものでもよい。いずれの場合も、冷蔵庫の使用者が収納した飲料の消費状況を冷蔵庫外から見ることができ便利である。
【００２７】
また、本発明は回数情報によって、飲料物３０の使用頻度を識別する装置を制御部に備える。この使用頻度を識別する装置は、所定時間内において飲料物３０の取り出し回数が所定の回数に達したか否かによって判断する。例えば、１回目情報を得たときから所定時間（例えば、３日間）到達時に１０回に到達しておればよいが、もしそれ未満の場合には、制御部４６は警報部５１に警報を発するように指示すると共に、表示部５０に注意の文字表示や、表示灯による注意の黄色表示又はその点滅表示によって、飲料物３０の消費が停滞している旨の警告表示を行う。このため、飲料物３０の消費の状況が芳しくないことを知らせることができ、冷蔵庫の使用者にその飲料物３０の消費を喚起させることができる。
【００２８】
そして、この１回目情報を得たときから更に長い所定時間到達時（例えば５日目）に飲料物３０の取り出し回数が１０回またはそれよりも多い例えば１５回に到達していない場合には、制御部４６は警報部５１に警報を発するように制御すると共に、表示部５０に飲料物３０が古くなったことを知らせる文字表示や、表示灯による注意の赤色表示又はその点滅表示によって、飲料物３０が古くなったことを知らせて、その飲料物が飲まれないように警告を発する。
【００２９】
上記の方式は、中間警告と最終警告の２段階表示であるが、これを中間警告又は最終警告のいずれか一つの警告とするものでもよい。いずれの場合も、冷蔵庫の使用者が収納した飲料の消費状況を冷蔵庫外から見ることができ便利である。
【００３０】
また、本発明は、飲料物３０をドアポケット１１Ｄに収納するとき、飲料物３０の賞味期限を入力部４８によってインプットし、制御部４６によって情報記憶部４９にその情報を記憶させる。そして、賞味期限内の所定時間中において、例えば、賞味期限が７日後であれば、その７日を入力するか賞味期限の年月日を入力する。そして、この賞味期限の７日よりも短い時間（例えば３日間）、又は賞味期限の年月日までの時間よりも短い時間（例えば賞味期限の年月日の４日前の年月日）のいずれかの到達時に、飲料物３０の荷重が所定値以下に減少しない場合、又は飲料物３０の取り出し回数が所定回数に達しない場合には、制御部４６は警報部５１に警報を発するように指示すると共に、表示部５０に注意の文字表示や、表示灯による注意の黄色表示又はその点滅表示によって、飲料物３０の消費が停滞している旨の警告表示を行う。このため、飲料物３０の消費の状況が芳しくないことを知らせることができ、冷蔵庫の使用者にその飲料物３０の消費を喚起させることができる。
【００３１】
また、賞味期限内であって、第１荷重情報を得たときから更に長い所定時間到達時（例えば５日目）に第１荷重情報の５０％又はそれよりも低い例えば３０％に減っておればよいが、もしそれに到達していない場合には、制御部４６は警報部５１に警報を発するように制御すると共に表示部５０に飲料物３０が古くなったことを知らせる文字表示や、表示灯による注意の赤色表示又はその点滅表示によって、飲料物３０が古くなったことを知らせて、その飲料物が飲まれないように警告を発する。
【００３２】
上記の方式は、中間警告と最終警告の２段階表示であるが、これを中間警告又は最終警告のいずれか一つの警告とするものでもよい。いずれの場合も、冷蔵庫の使用者が収納した飲料の消費状況を冷蔵庫外から見ることができ便利である。
【００３３】
また、この賞味期限の７日よりも短い時間（例えば３日間）、又は賞味期限の年月日までの時間よりも短い時間（例えば賞味期限の年月日の４日前の年月日）のいずれかの到達時に、飲料物３０の荷重が所定値以下に減少しない場合、又は飲料物３０の取り出し回数が所定回数に達しない場合には、制御部４６は警報部５１に警報を発するように指示すると共に、表示部５０に注意の文字表示や、表示灯による注意の黄色表示又はその点滅表示によって、飲料物３０の消費が停滞している旨の警告表示を行う。このため、飲料物３０の消費の状況が芳しくないことを知らせることができ、冷蔵庫の使用者にその飲料物３０の消費を喚起させることができる。
【００３４】
そして、賞味期限内であって、この１回目情報を得たときから更に長い所定時間到達時（例えば５日目）に飲料物３０の取り出し回数が１０回またはそれよりも多い例えば１５回に到達していない場合には、制御部４６は警報部５１に警報を発するように制御すると共に、表示部５０に飲料物３０が古くなったことを知らせる文字表示や、表示灯による注意の赤色表示又はその点滅表示によって、飲料物３０が古くなったことを知らせて、その飲料物が飲まれないように警告を発する。
【００３５】
上記の方式は、中間警告と最終警告の２段階表示であるが、これを中間警告又は最終警告のいずれか一つの警告とするものでもよい。いずれの場合も、冷蔵庫の使用者が収納した飲料の消費状況を冷蔵庫外から見ることができ便利である。
【００３６】
また、本発明は、前記賞味期限切れに到達したときにも、制御部４６は警報部５１に警報を発するように指示すると共に、表示部５０に文字表示や点滅表示によって、飲料物３０の賞味期限切れの警告を行う。これによって、古くなった飲料物が飲まれないように警告を発することができる。
【００３７】
表示部５０は、１回目情報や第１荷重情などの情報や、入力部４８で入力された情報や、警告状態等の種々の情報を液晶表示や有機ＥＬ表示等によって表示する。
【００３８】
上記の第１荷重情報の５０％に相当する数字５０や３０％に相当する数字３０の設定は、入力部４８によって行う方式でもよいが、予め制御部４６に標準値として設定した状態とし、入力部４８によって任意に変更可能とする方式でもよい。また、上記の回数情報に係る所定時間の設定や賞味期限の設定は、入力部４８によって行う方式でよく、賞味期限がバーコードやＩＤチップに記憶されている場合は、それを読み取る読み取り器を入力部４８に備えた方式とすることができる。
【００３９】
図３にはドアポケット部の他の実施形態に係る荷重検出部４０の縦側面図を示している。これにおいて、ドアポケット１１Ｄの底壁６２は、内壁板５Ｂと一体成形によって形成され、ドアポケット１１Ｄに収納した食料品３０（飲料物３０）が落下しないようなガード６３がドアポケット１１Ｄの横幅に渡って設けられている。そして、飲料物３０の重量を計量する検出部４０は、ドアポケット１１Ｄの底壁６２内に基台４１が設けられ、この基台４１内には、底壁６２上に配置した載置板４２の中央部から下方へ延びた本体部４３と、その外周に取り付けた環状の磁歪素子４４と、磁歪素子４２を取り囲んで基台４１内に配置した検出コイル４５とを備えている。
【００４０】
図３において図２と同符号の部分は同一機能部分であり、これに基づく動作及び作用は、図１、図２及び図４に基づき記載した上記と同様である。
【００４１】
上記の実施形態では、ドアポケット１１Ｄに検出部４０を備えたが、ドアポケット１１Ｃ又は他のドアポケット部分に備えてもよく、更には、野菜室４の野菜容器、或いは冷蔵室３に設けてもよい。本発明は上記実施形態に限定されるものではなく、特許請求の範囲を逸脱しない部分における種々の実施形態を包含するものである。
【００４２】
【発明の効果】
本発明によれば、食料品、特に飲料物の消費の状況を把握して、飲料物の消費の状況が芳しくない場合はそれを知らせることができ、冷蔵庫の使用者にその飲料物の消費を喚起させることができる。そして、古くなった飲料が飲まれないように警告を発することもできる。
【００４３】
請求項２の発明によれば、飲料物の荷重を磁歪素子により検出するため堅牢な荷重検出装置となり、冷蔵庫のように頻繁に使用される部分に適用する荷重検出装置として適する。そして、飲料物の減り具合によって飲料物の消費の状況を把握でき、飲料物の消費の状況が芳しくない場合は、冷蔵庫の使用者にそれを知らせてその飲料物の消費を喚起させることができる。そして、古くなった飲料が飲まれないように警告を発することもできる。
【００４４】
請求項３の発明によれば、飲料物の荷重を磁歪素子により検出するため堅牢な荷重検出装置となり、冷蔵庫のように頻繁に使用される部分に適用する荷重検出装置として適する。そして、飲料物の取り出し回数が所定回数に達しない場合に報知することによって、飲料物の消費の状況が芳しくない場合は、冷蔵庫の使用者にそれを知らせてその飲料物の消費を喚起させることができる。そして、古くなった飲料が飲まれないように警告を発することもできる。
【００４５】
請求項４の発明によれば、飲料物の荷重を磁歪素子により検出するため堅牢な荷重検出装置となり、冷蔵庫のように頻繁に使用される部分に適用する荷重検出装置として適する。そして、飲料物の賞味期限との関係において、飲料物の消費の状況を把握して、飲料物の消費の状況が芳しくない場合は、冷蔵庫の使用者にそれを知らせてその飲料物の消費を喚起させることができる。そして、古くなった飲料が飲まれないように警告を発することもできる。
【００４６】
請求項５の発明によれば、上記の作用効果に加えて、従来の冷蔵庫と同様にドアポケットに食料品又は飲料物の収納することができる。
【図面の簡単な説明】
【図１】本発明冷蔵庫の冷蔵室部分の開扉状態を示す斜視図である。
【図２】図１の冷蔵室扉のドアポケット部の荷重検出部の縦側面図である。
【図３】本発明冷蔵庫の冷蔵室扉のドアポケット部の他の実施形態に係る荷重検出部の縦側面図である。
【図４】本発明冷蔵庫の制御装置の説明用ブロック図である。
【符号の説明】
１……冷蔵庫
２……冷蔵庫本体
３……冷蔵室
４……野菜室
５……冷蔵室扉
１０……棚
１１、１１Ｄ……ドアポケット
３０……飲料物
４０……検出部
４１……基台
４２……載置板
４３……本体部
４４……磁歪素子
４５……検出コイル
４６……制御部
５０……表示部
５１……警報部
【図１】
2005003323.tif 000003
【図２】
2005003323.tif 000004
【図３】
2005003323.tif 000005
【図４】
2005003323.tif 000006